(57)【要約】  皮膚装着型デバイス１０が開示され、これは、皮膚領域１にデバイスを接着する接着層２０を担持する表面１１と、接着層全体を覆う第１のループ部分３１と、第１のループ部分上に戻る第２のループ部分３５とを持つループとして形成される取り外し可能な非接着カバー層３０とを有し、第２のループ部分は、皮膚装着型デバイスが皮膚領域に配置されるとき、接着層からカバー層を引っ張るためのプルタブ３７を含む。また、斯かる皮膚装着型デバイス１０を皮膚領域１に取り付ける方法も開示される。
2020527970.tif 000002
【特許請求の範囲】
【請求項１】
皮膚装着型デバイスであって、
皮膚領域に前記デバイスを接着する接着層を担持する表面と、前記接着層全体を覆う第１のループ部分と、ループリターンにより前記第１のループ部分に接続され、前記第１のループ部分上に戻る第２のループ部分とを持つループとして形成される取り外し可能な非接着性カバー層とを有し、前記第２のループ部分が、前記ループリターンに対向し、前記表面を越えて延在するプルタブを含む、皮膚装着型デバイス。
【請求項２】
前記第１ループ部分と前記第２ループ部分との間に少なくとも１つの接着性領域を更に有する、請求項１に記載の皮膚装着型デバイス。
【請求項３】
前記少なくとも１つの接着性領域が、複数の接着剤ドットを有する、請求項２に記載の皮膚装着型デバイス。
【請求項４】
前記少なくとも１つの接着性領域が、低粘着性接着剤で作られ、前記カバー層が前記接着層から引っ張られるとき、前記少なくとも１つの接着性領域が破損する、請求項２又は３に記載の皮膚装着型デバイス。
【請求項５】
前記カバー層が、前記カバー層が前記接着層から引っ張られるとき、前記皮膚領域を清掃する清掃部を有する、請求項１乃至４のいずれかに記載の皮膚装着型デバイス。
【請求項６】
前記清掃部が、前記皮膚領域を清掃する清掃材料を担持するか、又は前記皮膚領域を清掃する清掃材料で作られる、請求項５に記載の皮膚装着型デバイス。
【請求項７】
前記清掃材料が、研磨剤又は吸収剤である、請求項６に記載の皮膚装着型デバイス。
【請求項８】
前記清掃部が、前記第２ループ部、及び前記第１ループ部と前記第２ループ部との間の第３ループ部の少なくとも一方を有する、請求項５乃至７のいずれかに記載の皮膚装着型デバイス。
【請求項９】
前記第３のループ部を前記皮膚装着型デバイスに接着する少なくとも１つの接着性の更なる領域を更に有する、請求項８に記載の皮膚装着型デバイス。
【請求項１０】
前記第３ループ部を収容するチャンネルを更に有する、請求項８又は９に記載の皮膚装着型デバイス。
【請求項１１】
前記接着層が、接着テープを有する、請求項１乃至１０のいずれかに記載の皮膚装着型デバイス。
【請求項１２】
前記皮膚装着型デバイスが、ウェアラブル医療デバイスである、請求項１乃至１１のいずれかに記載の皮膚装着型デバイス。
【請求項１３】
前記皮膚装着型デバイスが、超音波プローブに関するホルダである、請求項１乃至１１のいずれかに記載の皮膚装着型デバイス。
【請求項１４】
請求項１３に記載の超音波プローブに関するホルダと前記超音波プローブとを有する、超音波プローブ装置。
【請求項１５】
請求項１乃至１３のいずれかに記載の皮膚装着型デバイスを皮膚領域に固定する方法において、
前記皮膚装着型デバイスを前記皮膚領域に配置するステップと、
前記カバー層のプルタブを引っ張って、前記接着層と前記皮膚領域との間から前記カバー層を除去するステップと、
前記皮膚装着型デバイスを前記皮膚領域に押し付けて、前記皮膚装着型デバイスを前記接着層で前記皮膚領域に接着するステップとを有する、方法。
【発明の詳細な説明】
【技術分野】
【０００１】
本発明は、皮膚領域にデバイスを接着するための接着層を担持する表面と、接着層からカバー層を引っ張るために上記表面を越えて延在するプルタブを含む取り外し可能な非接着カバー層とを含む皮膚装着型デバイスに関する。
【０００２】
本発明は更に、斯かる皮膚装着型デバイスを皮膚領域に取り付ける方法に関する。
【背景技術】
【０００３】
今日、着用者の皮膚の一部に対して着用される多くのデバイスが存在する。斯かるデバイスは、ウェアラブル医療デバイス又は医療デバイス用のウェアラブルホルダを含むが、これらに限定されるものではない。斯かる多くのウェアラブル又は皮膚装着型デバイスでは、ストラップが着用者にとって不快な場合があるため、斯かるストラップなどを使用してデバイスを着用者の皮膚に取り付けることは望ましくない場合があるか、又は身体領域の形状がストラップなどでデバイスを所定位置に保持することを妨げるため、斯かるストラップを用いて着用者の皮膚にデバイスを取り付けることが不可能な場合がある。
【０００４】
このため、斯かる身体領域との接触面に接着層を担持する皮膚装着型デバイスが導入された。その結果、デバイスの固定具として使用されるストラップ等の可能性としての不快感を生じることなくデバイスがほとんどの身体領域に取り付ける、即ち接着されることができる。例えば、ＵＳ２０１５／００４５６２８Ａ１号は、筐体ユニットと、筐体ユニットに結合されたパッチとを含む無線センサデバイスを開示する。そこでは、パッチが、取り外し可能な接着剤、例えば複数の取り外し可能な接着層を含み、その結果、パッチが、再配置可能である。
【発明の概要】
【発明が解決しようとする課題】
【０００５】
しかしながら、斯かる皮膚装着型デバイスには問題がないわけではない。第一に、接着層は通常、テープライナーなどの非接着層により保護され、着用者の皮膚の関心領域に皮膚装着型デバイスを配置する前に除去される必要がある。これは、皮膚装着型デバイスの接触面を接着性のあるものとし、その結果、皮膚装着型デバイスが装着される予定の意図される皮膚領域以外の皮膚領域に接着する場合、即ち、この意図される皮膚領域と誤って位置合わせされる場合、皮膚装着型デバイスを再配置することが面倒になる。これは従って、デバイスが誤って配置されることを容易にもたらす可能性があり、例えばデバイスが医療用撮像、モニタリング若しくはセンシング機能を実現する場合、又はデバイスが医療用撮像、モニタリング若しくはセンシング機能を実現するデバイスのホルダである場合、デバイスの機能を損なう可能性がある。なぜなら、デバイスは、関心皮膚領域からずれるからである。
【０００６】
更に、斯かる関心皮膚領域は、超音波プローブと皮膚との間の音響接触ゲルなど、デバイスと関心皮膚領域との間の信号交換を改善する物質を担持する場合がある。皮膚装着型デバイスのその後の位置決めは問題となり得る。なぜなら、皮膚領域に存在する物質が、皮膚領域への皮膚装着型デバイスの接着を妨げる可能性があるからである。
【０００７】
本発明は、意図される皮膚領域に配置されることができ、前述の問題の少なくともいくつかに対処することができる皮膚装着型デバイスを提供しようとするものである。
【０００８】
本発明は更に、斯かる皮膚装着型デバイスを皮膚領域に取り付ける方法を提供しようとするものである。
【課題を解決するための手段】
【０００９】
一態様によれば、皮膚装着型デバイスが、皮膚領域にデバイスを接着する接着層を担持する表面と、接着層全体を覆う第１のループ部分と、ループリターンにより第１のループ部分に接続され、第１のループ部分上に戻る第２のループ部分とを持つループとして形成される取り外し可能な非接着性カバー層とを有し、第２のループ部分は、上記ループリターンに対向し、上記表面を越えて延在するプルタブを含む。
【００１０】
例えばテープライナーといった斯かるループ状カバー層の提供は、皮膚装着型デバイスが、接着層を露出せずに関心皮膚領域に正しく配置されることを可能にする。これにより、デバイスが皮膚の望ましくない領域に「付着」することが防止される。非接着状態で皮膚装着型デバイスが正しく配置されることに続いて、皮膚装着型デバイスがその場にある間にプルタブを引っ張ることによりループ状カバー層が除去されると、接着層が露出されることができる。これにより、接着層が露出され、皮膚装着型デバイスが意図される皮膚領域に貼り付けられる。ループ状カバー層の提供は、単層カバー層に比べて更なる利点を持つ。それは、取り外しの際にカバー層に作用する摩擦力が減少し、これによりカバー層が皮膚装着型デバイスと関心皮膚領域との間から引っ張られるとき、皮膚装着型デバイスが再配置される、即ち不整合になるリスクが減少する点である。
【００１１】
一実施形態では、皮膚装着型デバイスは、第１ループ部に対して第２ループ部を固定するため、第１ループ部と第２ループ部との間に少なくとも１つの接着領域を更に含む。これは例えば、カバー層のループが少なくとも１つの接着領域により所定の位置に保持されるという事実により、皮膚装着型デバイスの取り扱いの容易さを改善することができる。その結果、皮膚装着型デバイスを関心皮膚領域に配置するとき、ユーザーがループを復元する（例えば、折り畳む）必要がない。
【００１２】
例えば、少なくとも１つの接着領域は、第１ループ部分と第２ループ部分との間に間隔を空けた複数の接着ドットを含むことができ、これは、第２ループ部分を第１ループ部分に対して効果的に固定しつつ、斯かる接着剤ドットのサイズが制限されるため、少なくとも１つの接着剤領域により提供される第１及び第２のループ部分間の接着を破壊するのに必要とされる力が制限される。
【００１３】
更に、カバー層が接着層から引っ張られるときに破損（脱接着）するよう、少なくとも１つの接着領域は低粘着性接着剤で作られることが好ましい。例えば、低粘着性ポリマー接着剤であり、これは、適度な力が加わると、接着面からその担持面を容易に解放する。
【００１４】
更なる実施形態では、カバー層は、カバー層が接着層から引っ張られるときに皮膚領域を清掃するよう構成された清掃部を含む。この構成は、清掃部がこの接触領域を通って引っ張られることによりカバー層が接着層とこの皮膚領域との間から引っ張られるとき、接着層とこの皮膚領域との間の接触を確立する前に関心皮膚領域を清掃する。これは従って、皮膚装着型デバイスと関心皮膚領域との間の接着接触を改善する。清掃部は例えば、第２のループ部分を備えてもよく、及び／又は第１のループ部分と第２のループ部分との間に第３のループ部分を備えてもよい。
【００１５】
清掃部は、上記皮膚領域を清掃（又は消毒、又は滅菌）する清掃材料（又は消毒剤、又は滅菌剤）を担持することができる。代替的に、清掃部は、上記皮膚領域を清掃するための清掃材料で作られていてもよい。例示的な実施形態における清掃材料は、例えばクリーニングティッシュなどの不織布といった研磨材料又は吸収材料である。
【００１６】
一実施形態において、皮膚装着型デバイスは更に、取り扱いを容易にするために第３のループ部を皮膚装着型デバイスに固定するための、第３のループ部を皮膚装着型デバイスに接着する少なくとも１つの接着性の更なる領域を含む。代替的又は追加的に、皮膚装着型デバイスは、斯かる取り扱いを容易にするため、第３のループ部分を収容するチャネルを更に備えてもよい。
【００１７】
接着層は、シリコーンＰＳＡなどの医療グレードの感圧接着剤（ＰＳＡ）といった任意の適切な接着剤を使用して実現されることができる。例示的な実施形態では、接着層は接着テープを含む。
【００１８】
実施形態の第１のセットでは、皮膚装着型デバイスは、ウェアラブルセンサデバイスなどのようなウェアラブル医療デバイスである。
【００１９】
実施形態の第２のセットでは、皮膚装着型デバイスは、超音波プローブに関するホルダである。その結果、超音波プローブは、例えば皮膚領域の下の身体部分を超音波で撮像又は治療するため、所望の皮膚領域上に容易に配置されることができる。また、斯かるホルダと超音波プローブとを含む超音波プローブ装置も提供される。
【００２０】
更なる態様によれば、本書に記載の実施形態のいずれかによる皮膚装着型デバイスを皮膚領域に取り付ける方法が提供され、この方法は、上記皮膚装着型デバイスを上記皮膚領域に配置するステップと、カバー層のプルタブを引っ張って、接着層と皮膚領域との間からカバー層を除去するステップと、上記皮膚装着型デバイスを上記皮膚領域に押し付けて、上記皮膚装着型デバイスを上記接着層で上記皮膚領域に接着するステップとを有する。この方法は、位置決め中に非粘着性の接触面により皮膚装着型デバイスの正確な位置決めを可能にする。一方、ループ状のカバー層は、簡単に取り外され接着層が露出され、皮膚装着型デバイスをこの皮膚領域に押し付けることにより、皮膚装着型デバイスを関心皮膚領域に貼り付けることを可能にする。ループ状のカバー層の容易な除去は、皮膚装着型デバイスが、除去中に再配置される（即ち皮膚装着型デバイスと関心皮膚領域との間からカバー層が引っ張られる方向に横に移動される）リスクを減らす。
【図面の簡単な説明】
【００２１】
【図１】一実施形態による皮膚装着型デバイスの断面表示を概略的に示す図である。
【図２】別の実施形態による皮膚装着型デバイスの断面表示を概略的に示す図である。
【図３】斯かる皮膚装着型デバイスを関心皮膚領域に取り付ける方法の例示的な実施形態を概略的に示す図である。
【図４】更なる実施形態による皮膚装着型デバイスの断面表示を概略的に示す図である。
【図５】更に別の実施形態による皮膚装着型デバイスの断面表示を概略的に示す図である。
【図６】更に別の実施形態による皮膚装着型デバイスの上面表示を概略的に示す図である。
【図７】斯かる皮膚装着型デバイスを関心皮膚領域に取り付ける方法の別の例示的な実施形態を概略的に示す図である。
【図８】例示的な実施形態による超音波プローブ構成の斜視表示を概略的に示す図である。
【発明を実施するための形態】
【００２２】
本発明の実施形態は、添付の図面を参照して、非限定的な例としてより詳細に説明される。
【００２３】
図面は単に概略的なものであり、縮尺通りに描かれていないことを理解されたい。同じ又は類似の部品を示すため、図面全体を通して同じ参照番号が使用されることも理解されたい。
【００２４】
図１は、本発明の例示的な実施形態による皮膚装着型デバイス１０を概略的に示す。皮膚装着型デバイス１０は、以下で更に詳細に説明されるように、ウェアラブル医療デバイス又は医療デバイス用のホルダといったウェアラブルデバイスであり得る。皮膚装着型デバイス１０がウェアラブル医療デバイスである場合、皮膚装着型デバイス１０は、斯かるデバイスの着用者の身体機能を感知又は他の態様で監視する機能を備えてもよい。例えば、皮膚装着型デバイス１０は、ＥＣＧ電極配列などの感知電極配列、血糖監視デバイスなどのセンサデバイス、単一の圧電トランスデューサに基づき血流又は心拍数を測定する超音波ベースのセンサー、静電容量マイクロマシン超音波トランスデューサ（ｃＭＵＴ）ベースの撮像又は血流モニタリング用超音波トランスデューサを備えるセンサ、患者の活動を追跡する加速度計、ウェアラブル血圧センサー又はフォトプレチスモグラム（ＰＰＧ）センサーなどを含むウェアラブルパッチであってもよい。他の多くの例は、当業者には容易に明らかであろう。
【００２５】
皮膚装着型デバイス１０は、皮膚装着型デバイス１０で生成されたデータを登録及び／又は記録するための更なるデバイスに接続されてもよい。斯かる接続は有線接続であってもよく、その場合、皮膚装着型デバイス１０は、皮膚装着型デバイス１０を更なるデバイスに接続するためのケーブル、ワイヤなどを含むか、又は代替的に斯かる接続は無線接続であってもよく、その場合、皮膚ライブ装着型デバイス１０は、更なるデバイスと無線で通信するための無線通信モジュールを含む。斯かる無線通信は、非限定的な例として、Ｗｉ−Ｆｉ、Ｂｌｕｅｔｏｏｔｈ、ＮＦＣ、ＧＭＳ、ＵＭＴＳ、３Ｇ、４Ｇ、５Ｇなどの任意の適切な無線通信規格を採用してもよい。他の適切な無線通信規格は、当業者には容易に明らかであろう。
【００２６】
皮膚装着型デバイス１０は、皮膚装着型デバイス１０で生成された信号を処理するためのプロセッサなどの能動回路を更に備えてもよい。皮膚装着型デバイス１０の実際の実施形態は特に限定されず、本発明の教示に基づき、任意のタイプの皮膚装着型デバイス１０が使用されることができることを理解されたい。
【００２７】
皮膚装着型デバイス１０は、ウェアラブル医療デバイス又は斯かるデバイスのウェアラブルホルダの場合、その意図される着用者、例えば患者の皮膚と接触する接触面１１を含む。接触面１１は、任意の適切な形状、例えば、平面形状又は輪郭形状を持つことができる。この輪郭形状は、皮膚装着型デバイス１０が取り付けられる予定の意図される着用者の身体部分の形状と一致し得る。接触面１１は、皮膚装着型デバイス１０を皮膚装着型デバイス１０の意図される着用者の意図される皮膚領域に接着するよう構成された接着層２０を担持する。斯かる接着層２０には、任意の適切な接着剤が使用されることができる。例えば、接着層２０は、接触面１１に取り付けられた粘着テープの層で形成されてもよい。代替的に、接着層２０は、感圧性シリコーン接着剤、アクリル系接着剤又はポリウレタン系接着剤などの感圧性接着剤で形成されてもよい。より多くの適切な接着剤が、当業者には容易に明らかであろう。
【００２８】
接着層２０を時期尚早な露出から保護するため、接着層２０の上にカバー層３０が配置される。本発明の実施形態によれば、皮膚装着型デバイス１０が、ウェアラブル医療デバイス又はそのウェアラブルホルダの場合、その意図される着用者、例えば患者の皮膚の意図される領域に配置されることができ、一方カバー層３０はまだ適所にあるよう、カバー層３０は成形される。より具体的には、カバー層３０は、皮膚の意図される領域において皮膚装着型デバイス１０の位置を乱すことなく、皮膚装着型デバイス１０とその意図される着用者の皮膚の意図される領域との間から容易に除去されることができるよう成形される。
【００２９】
この目的のため、カバー層３０は、接着層２０を覆う第１のループ部分３１と、第２のループ部分３５とを持つループとして成形される。第２ループ部分３５は、第１のループ部分３１を第２のループ部分３５に接続するループ戻り３３を介して第１のループ部分３１上に戻る。以下に更に詳細に説明されるように、第２ループ部分３５は、プルタブ３７を更に備え、これは、皮膚装着型デバイス１０の接着層２０と皮膚装着型デバイス１０が配置される意図される着用者の皮膚の意図される領域との間からカバー層３０を引っ張るため、皮膚装着型デバイス１０の周囲を越えて延在する第２ループ部分３５の一部であり得る。
【００３０】
カバー層３０は、任意の適切な非接着性材料から作製され得る。例えば、カバー層３０は、非粘着性剥離材料の薄いフィルムで作られた剥離ライナーなどとすることができ、例えばスーパーカレンダークラフト紙、グラシン、クレイコーティングクラフト紙、機械仕上げクラフト紙、機械ガラス紙などの紙ベースの材料、又は二軸延伸ポリエチレンフィルム、二軸延伸ポリプロピレンフィルム若しくは高密度ポリエチレン、低密度ポリエチレン、及びポリプロピレンプラスチック樹脂といった他の任意の適切なポリオレフィンなどのプラスチックフィルムベースの材料、又はポリマーコーティングクラフト紙などの複合材料とすることができる。
【００３１】
更に、本願の文脈において、ループ状カバー層３０が参照される場合、これは、カバー層３０の第１の折り畳み部分（即ち、第１のループ部分３１）が皮膚装着型デバイス１０の接着層２０に接触し、カバー層３０の第２の折り畳み部分（即ち、第２のループ部分３５）が第１の折り畳み部分を覆うように折り畳まれる層３０を含むことが意図されることに留意されたい。その結果、皮膚装着型デバイス１０がその意図される着用者の皮膚上に配置されるとき、第２の折り畳み部分は、第１の折り畳み部分と意図される着用者の皮膚との間に位置する。
【００３２】
第２ループ部分３５を第１ループ部分３１に対して固定して、皮膚装着型デバイス１０が取り扱われているとき、例えば意図される着用者の皮膚の意図される領域に配置されるとき、カバー層３０のループ構成が無傷のままであることを確実にすることが望ましい場合がある。これは、斯かる取り扱い中にループが開くリスクを回避する。これは、カバー層３０のループが展開するとき、皮膚装着型デバイス１０がこの意図される皮膚領域に配置された後のカバー層３０の除去がより面倒である、即ちより大きな力を必要とし、これにより、この意図される皮膚領域における皮膚装着型デバイス１０の位置決めが乱れるリスク、即ち、カバー層３０の解放中に皮膚装着型デバイス１０と意図される皮膚領域との間で皮膚装着型デバイス１０が変位するリスクが増大するという事実のために望ましくない。
【００３３】
図２は、第１のループ部分３１と第２のループ部分３５との間に接着領域３９が設けられ、第２のループ部分３５を第１のループ部分３１に対して固定する皮膚装着型デバイス１０の例示的な実施形態を概略的に示す。接着領域３９は、図２に示されるように、複数の接着ドットにより実現されることができる。しかし、カバー層３０の第１のループ部分３１を第２のループ部分３５に接着するための他の適切な構成が、当業者には容易に明らかであろう。
【００３４】
接着剤領域３９は好ましくは、低粘着性接着剤で作られ、その結果、カバー層３０が皮膚装着型デバイス１０と意図される皮膚領域との間から引っ張られるとき、第１ループ部分３１の第２ループ部分への接着が破壊され、その結果、カバー層３０の除去中に第２のループ部分３５が第１のループ部分３１とは独立して変位されることができる。斯かる低粘着性接着剤はそれ自体よく知られる。非限定的な例として、例えばＵＳ３，６９１，１４０号に記載されるように、アクリレート共重合体（微小）球などのアクリレート共重合体接着剤が挙げられるが、例えば合成ゴム接着剤、シリコーン感圧接着剤、ソフトシリコーンゲル接着剤など任意の適切な低粘着性接着剤がこの目的のために使用されることができることを理解されたい。
【００３５】
図３は、斯かる皮膚装着型デバイス１０をその意図される着用者の意図される皮膚領域１に貼り付ける、即ち接着する例示的な方法を概略的に示す。最初のステップ（上部ペイン）で、皮膚装着型デバイス１０は、意図される着用者の皮膚１の意図される領域に配置される。その結果、接着層２０は、ループ状カバー層３０が接着層２０とこの意図される領域との間に位置する状態で、意図される領域に面する。次に、ブロック矢印で示されるように、皮膚１の意図される領域に皮膚装着型デバイス１０を押し付けながら、ループ状カバー層３０が、接着層２０とこの意図される領域との間からプルタブ３７を使用して引っ張られる（中央ペイン）。カバー層３０が接着層２０と皮膚１の意図される領域との間から引っ張られる間、第１のループ部分３１及び第２のループ部分３５は互いに沿ってスライドするので、これは、実質的に摩擦のないカバー層３０の除去をもたらす。即ち、接着層と皮膚１の意図される領域との間の単一のカバー層の場合のように実質的に摩擦が少なく、これにより、この意図される領域への皮膚装着型デバイス１０の配置が乱されるリスクが低減される。接着層２０と皮膚１の意図される領域との間からカバー層３０が完全に除去されると、皮膚装着型デバイス１０は、皮膚１の意図される領域に取り付けられ接着される（下部ペイン）。
【００３６】
いくつかの用途では、皮膚装着型デバイス１０を接着する前に、皮膚１の意図される領域をきれいにすることが望ましい場合がある。例えば、皮膚装着型装置１０が超音波プローブなどの医療デバイスのホルダである場合、皮膚装着型装置１０は、皮膚装着型装置１０を通り延在する開口を備え、接触面１１がこの開口を区切る。斯かるシナリオでは、皮膚装着型デバイス１０は、皮膚装着型デバイス１０内のその場で超音波プローブを用いて皮膚１の意図される領域に配置されてもよい。この場合、超音波プローブで撮像又は治療される皮膚１の意図される領域に接触ゲルが提供されてもよい。斯かる接触ゲルが、皮膚装着型デバイス１０の接触面１１、即ち皮膚装着型デバイス１０が接着される皮膚の領域により接触される皮膚の部分も覆うことを防ぐことは実際上不可能である。しかしながら、皮膚装着型デバイス１０をその上に配置する前に皮膚を清掃することも、理想からはほど遠い。なぜなら、これは通常、超音波プローブにより接触される皮膚領域から接触ゲルを少なくとも部分的に除去するからである。
【００３７】
図４は、本発明の更なる実施形態による皮膚装着型デバイス１０を概略的に示し、そこでは、ループ状カバー層３０が、第１ループ部分３１と第２ループ部分３５との間に第３ループ部分４１を含む。第３のループ部分４１は、接着層２０を担持する皮膚装着型デバイス１０の接触面１１により接触される皮膚１の領域を清掃するための清掃材料で作られるか、又はこれを担持する。例えば、清掃材料は、イソプロピルアルコール又は別のアルコールベースの溶媒などの溶媒、研磨剤又は吸収性材料、例えば前述のようにプルタブ３７を使用してカバー層３０を引っ張ることにより、カバー層３０が接着層２０と接着層２０により接触される皮膚１の意図される領域との間から引っ張られるとき、皮膚のこの領域を拭き取る不織布、紙ティッシュなどとすることができる。これにより、この皮膚領域が清掃され、この皮膚領域と皮膚装着型デバイス１０との間の接着が改善される。結果として、これは、接着層２０により接触される皮膚領域から接触ゲルといった物質が効果的に除去されることができるという事実により、この物質で処置される皮膚の領域に皮膚装着型デバイス１０を正確かつ確実に配置することを可能にする。
【００３８】
代替的に、第３のループ部分４１は省略されてもよく、その場合、第２のループ部分３５は、接着層２０を担持する皮膚装着型デバイス１０の接触面１１により接触される皮膚１の領域を清掃する清掃材料で作られるか、又はこれを担持することができる。更に別の実施形態では、第２のループ部分３５及び第３のループ部分４１の両方は、接着層２０を担持する皮膚装着型デバイスの接触面１１により接触される皮膚１の領域を清掃する清掃材料で作られるか、又はこれを担持することができる。斯かる構成では、第２のループ部分３５及び第３のループ部分４１は、同じ洗浄材料又は異なる洗浄材料で作られてもよく、又はそれらを担持してもよい。例えば、関心皮膚領域から汚染物質を溶解し、その後除去するため、それぞれ溶媒と吸着剤又は研磨剤とすることができる。
【００３９】
疑念を避けるため、斯かる皮膚装着型デバイス１０は、斯かる物質と組み合わせて使用することに限定されず、接着の質を改善するため、皮膚装着型デバイス１０が接着される皮膚の意図される領域を単に清掃するための任意のタイプの皮膚装着型デバイス１０に等しく使用できることに留意されたい。
【００４０】
図５は、本発明の更に別の実施形態による皮膚装着型デバイス１０を概略的に示し、そこでは、第３のループ部分４１が、少なくとも１つの接着剤の更なる領域４３、例えば複数の接着剤ドットで皮膚装着型デバイス１０に対して固定される。これは、少なくとも１つの接着領域３９と同様に好ましくは、低粘着性接着剤などの弱い接着剤でできている。その結果、皮膚装着型デバイス１０の接着層２０と皮膚１の意図される領域との間からカバー層３０を引っ張るとき、少なくとも１つの接着性の更なる領域４３が破壊され、第３のループ部分４１が皮膚装着型デバイス１０から解放される。第３のループ部分４１と皮膚装着型デバイス１０、即ちその本体又は筐体との間に少なくとも１つの接着性の更なる領域４３を設けることは、皮膚装着型デバイス１０が扱われるとき第３のループ部分４１が所定位置に保持されることを確実にする。これは、皮膚装着型デバイス１０の取り扱いを容易にし、第３ループ部４１が意図せずに異物に引っ掛かり、カバー層３０を損傷させるリスクを軽減し、又は第３ループ部４１が接着層２０からカバー層を少なくとも部分的に除去するリスクを軽減する。
【００４１】
代替的に、図６に概略的に示されるように、皮膚装着型デバイス１０は、斯かる偶発的な損傷又は破壊から保護するために第３のループ部分４１が固定され得る本体又は筐体においてチャネル１５を組み込み得る。図６において明示はされないが、第３のループ部分４１をチャネル内に更に固定するため、少なくとも１つの接着性の更なる領域４３が第３のループ部分４１とチャネル１５との間に更に存在し得る。
【００４２】
図７は、斯かる皮膚装着型デバイス１０をその意図される着用者の意図される皮膚領域１に貼り付ける、即ち接着する例示的な方法を概略的に示す。最初のステップ（上部ペイン）で、皮膚装着型デバイス１０は、意図される着用者の皮膚１の意図される領域に配置される。その結果、ループ状カバー層３０が接着層２０とこの意図される領域との間に位置する状態で、接着層２０は意図される領域に面する。次に、ブロック矢印で示されるように、皮膚１の意図される領域に皮膚装着型デバイス１０を押し付けながら、ループ状カバー層３０が、接着層２０とこの意図される領域との間からプルタブ３７を使用して引っ張られる（中央ペイン）。これは、カバー層３０の第１ループ部３１を接着層から除去する前に、接着層２０と皮膚１との間の接触領域上で第３ループ部４１を引っ張り、その結果、皮膚装着型デバイス１０の接着層２０に露出される前にこの接触領域が、清掃される。接着層２０と皮膚１の意図される領域との間からカバー層３０を完全に除去すると、この領域を接着層２０にさらす前に、カバー層３０の第３のループ部分４１で意図される領域が清掃されることから、皮膚装着型デバイス１０は、皮膚１の意図される領域にしっかりと取り付けられ、接着される（下部ペイン）。
【００４３】
図８は、超音波プローブ構成１００を概略的に示し、これは、超音波プローブ５０（本願の文脈では、超音波プローブは、皮膚への長期装着に適した薄型の超音波ベースの監視パッチであり得る）と、皮膚装着型デバイス１０とを含む。デバイス１０はここでは、取り付け開口部１７を含む超音波プローブ５０のホルダであり、これは、移動、例えばホルダ内の超音波プローブの自由回転を容易にするスイベル機構などを含むことができる。斯かる構成はそれ自体よく知られており、従って簡潔さのため更に詳細には説明されない。皮膚装着型デバイス１０の接触面１１（図８では見えない）は典型的には、開口部１７の範囲を定め、接着層２０を担持する。その結果、皮膚装着型デバイス１０が更に詳細に前述されたように皮膚の意図される領域に固定されることができる。好ましくは、皮膚装着型デバイス１０のカバー層３０は、第３ループ部分４１を含む。その結果、皮膚装着型デバイス１０が配置される関心皮膚領域に接触ゲルが適用されることができる。ここで、第３ループ部分４１は、皮膚の接触領域から接触ゲルを実質的に除去して、接着層２０で患者の皮膚に対して皮膚装着型デバイス１０を適切に固定する。
【００４４】
上記の実施形態は本発明を限定するのではなく例示するものであり、当業者は添付の特許請求の範囲から逸脱することなく多くの代替実施形態を設計できることに留意されたい。請求項では、括弧の間に置かれた参照符号は、請求項を限定するものとして解釈されるべきではない。「有する」という語は、請求項に記載される以外の要素又はステップの存在を排除するものではない。要素に先行する単語「ａ」又は「ａｎ」は、斯かる要素の複数の存在を排除するものではない。本発明は、いくつかの別個の要素を含むハードウェアにより実現されることができる。複数の手段を列挙するデバイスクレームでは、これらの手段のいくつかが、ハードウェアの一つの同じアイテムにより具体化されることができる。特定の手段が相互に異なる従属請求項に記載されるという単なる事実は、これらの手段の組み合わせが有利に使用されることができないことを示すものではない。
【図１】
2020527970.tif 000003
【図２】
2020527970.tif 000004
【図３】
2020527970.tif 000005
【図４】
2020527970.tif 000006
【図５】
2020527970.tif 000007
【図６】
2020527970.tif 000008
【図７】
2020527970.tif 000009
【図８】
2020527970.tif 000010
【国際調査報告】
2020527970.tif 000011
2020527970.tif 000012